(57)【要約】【課題】合成ガス中のＢＴＥＸ等のガス状不純物質を吸着処理するに際し、その吸着能力を阻害し得る不純物質を除去しておくことによって、吸着能力を長期間維持する。【解決手段】合成ガスを、ガス状不純物質吸着部５０の吸着剤５２と接触させる前に、前処理部４で前処理工程を実行する。前処理工程においては、溶媒接触部１０において合成ガスを水性溶媒１１ａ及び／又は油性溶媒１２ａと接触させる溶媒接触工程と、相転移性物質除去部２０において合成ガスを相転移性物質の固相化温度まで冷却して相転移性物質捕捉部２２に通す相転移性物質除去工程とのうち少なくとも１つを実行する。【選択図】図１
2018058042.tif 000002
【特許請求の範囲】
【請求項１】
合成ガス中の不純物質を除去する浄化処理方法であって、
前記合成ガスを、ガス状不純物質を吸着可能な吸着剤と接触させるガス状不純物質吸着工程と、
前記ガス状不純物質吸着工程の前に実行される前処理工程と、
を備え、前記前処理工程が、
前記合成ガスを、水性溶媒及び／又は油性溶媒と接触させる溶媒接触工程と、
前記合成ガスを、相転移性物質の固相化温度まで冷却して相転移性物質捕捉部に通す相転移性物質除去工程と、のうち少なくとも１つを含むことを特徴とする合成ガス浄化処理方法。
【請求項２】
前記前処理工程において、前記溶媒接触工程後の合成ガスを前記相転移性物質除去工程に供することを特徴とする請求項１に記載の合成ガス浄化処理方法。
【請求項３】
前記溶媒接触工程が、前記合成ガスを水性溶媒と接触させる水性溶媒接触工程と、前記水性溶媒接触工程後の合成ガスを前記油性溶媒と接触させる油性溶媒接触工程とを含むことを特徴とする請求項１又は２に記載の合成ガス浄化処理方法。
【請求項４】
前記ガス状不純物質吸着工程後の合成ガスを、ガス資化性微生物を含む液状培地に供給することを特徴とする請求項１〜３の何れか１項に記載の合成ガス浄化処理方法。
【請求項５】
合成ガス中の不純物質を除去する浄化処理装置であって、
ガス状不純物質を吸着可能な吸着剤を含み、前記合成ガスが前記吸着剤と接触されるガス状不純物質吸着部と、
前記ガス状不純物質吸着部の前段に配置される前処理部と、
を備え、前記前処理部が、
前記合成ガスを水性溶媒と接触させる水性溶媒接触部と、
前記合成ガスを油性溶媒と接触させる油性溶媒接触部と、
前記合成ガスを相転移性物質の固相化温度まで冷却する冷却部、及び冷却後の合成ガスが通される相転移性物質捕捉部を有する相転移性物質除去部と、
を含むことを特徴とする合成ガス浄化処理装置。
【発明の詳細な説明】
【技術分野】
【０００１】
本発明は、合成ガス（シンガス）中の不純物質を除去する浄化処理方法及び装置に関し、特に廃棄物由来の合成ガスに適した浄化処理方法及び装置に関する。
【背景技術】
【０００２】
産業廃棄物や一般廃棄物の処理方法として、熱分解によるガス化方法が知られている（特許文献１等参照）。この方法によれば、廃棄物を熱分解することで、ＣＯ及びＨ２を主成分とする合成ガスが得られる。合成ガスは、種々の用途に利用可能である。
【０００３】
例えば特許文献２では、合成ガスを培養槽に導入して、微生物発酵によってエタノール等の有価物を生成している。合成ガスには、ＢＴＥＸ（ベンゼン、トルエン、エチルベンゼン、キシレン）、粒子状物、タール等の不純物質が少量含まれており、これらは微生物に有害である可能性があるために、前処理工程で除去することが記載されている。
【先行技術文献】
【特許文献】
【０００４】
【特許文献１】特開２００４−１９５４００
【特許文献２】特開２０１４−０５０４０６号公報（［０１０２］）
【発明の概要】
【発明が解決しようとする課題】
【０００５】
合成ガス中のＢＴＥＸは、圧力スイング吸着（ＰＳＡ）法、温度スイング吸着（ＴＳＡ）や活性炭吸着法によって除去できる。
一方、発明者等の研究によれば、廃棄物由来の合成ガスには、ナフタレン、１−ナフトール、２−ナフトール等の、気相と固相の間で相転移可能な相転移性不純物質（ないしは昇華性物質）が含まれているとの知見を得た。この種の相転移性不純物質は、廃棄物処理施設で生成された当初は気相であっても、温度条件や圧力条件によっては固相化する。固相の相転移性不純物質は、ＰＳＡ、ＴＳＡ用の吸着剤や活性炭の表面に付着して活性点を覆うおそれがある。そうすると、吸着能力が減殺されてしまう。合成ガス中のススやタール等の固液不純物質についても同様のおそれがある。
更に発明者等の知見によれば、特に廃棄物由来の合成ガスには、窒素酸化物（ＮＯｘ）や硫黄酸化物（ＳＯｘ）が含まれていることがあり、これらは代表的な環境汚染物質であるだけでなく、合成ガス利用工程に悪影響を与えることも考えられる。
本発明は、かかる事情に基づいてなされたものであり、合成ガス中のＢＴＥＸ等のガス状不純物質を吸着処理するに際し、その吸着能力を阻害し得る不純物質を除去しておくことによって、吸着能力を長期間維持可能とし、更に好ましくは合成ガス中のＮＯｘ、ＳＯｘをも除去することを目的とする。
【課題を解決するための手段】
【０００６】
上記課題を解決するため、本発明方法は、合成ガス中の不純物質を除去する浄化処理方法であって、
前記合成ガスを、ガス状不純物質を吸着可能な吸着剤と接触させるガス状不純物質吸着工程と、
前記ガス状不純物質吸着工程の前に実行される前処理工程と、
を備え、前記前処理工程が、
前記合成ガスを、水性溶媒及び／又は油性溶媒と接触させる溶媒接触工程と、
前記合成ガスを、相転移性物質の固相化温度まで冷却して相転移性物質捕捉部に通す相転移性物質除去工程と、のうち少なくとも１つを含むことを特徴とする。
【０００７】
前処理の溶媒接触工程における水性溶媒との接触によって、合成ガス中のＮＯｘ、ＳＯｘ等の水溶性不純物質を除去できるほか、ナフタレン等の相転移性物質や、スス、タール等の固液不純物質をもある程度除去できる。また、油性溶媒との接触によって、合成ガス中のナフタレン等の相転移性物質や、スス、タール等の固液不純物質を除去できるほか、ＢＴＥＸ等のガス状不純物質をも除去できる。更に、前記相転移性物質除去工程によって、合成ガス中のナフタレン等の相転移性物質を固相化させ、かつ固相化した相転移性物質を相転移性物質捕捉部で捕捉して除去でき、更には相転移性物質捕捉部において、スス、タール等の固液不純物質をもある程度除去できる。
これによって、合成ガス中のナフタレン等の相転移性物質や、スス、タール等の固液不純物質を除去したうえで、合成ガスをＰＳＡ等のガス状不純物質吸着部へ導入することによって、吸着剤の表面に相転移性物質の固化物や、スス、タール等の固液不純物質が付着するのを抑制又は防止できる。したがって、ガス状不純物質吸着部において、吸着剤の吸着能力を長期間維持することができ、合成ガス中のＢＴＥＸ等のガス状不純物質を十分に除去できる。この結果、合成ガスを十分に浄化処理でき、合成ガスの利用性を高めることができる。
なお、「除去」とは、合成ガスから除去対象物質の少なくとも一部を除去（濃度低減）することを意味し、合成ガスから除去対象物質を完全に除去することに限定されない。
【０００８】
前記前処理工程において、前記溶媒接触工程後の合成ガスを前記相転移性物質除去工程に供することが好ましい。
溶媒接触工程によって合成ガスの温度をある程度下げたうえで、相転移性物質除去工程に導入することができる。したがって、相転移性物質除去工程における冷却部への負荷を低減できる。
【０００９】
前記溶媒接触工程が、前記合成ガスを水性溶媒と接触させる水性溶媒接触工程と、前記水性溶媒接触工程後の合成ガスを前記油性溶媒と接触させる油性溶媒接触工程とを含むことが好ましい。
水性溶媒接触工程によって、合成ガス中のＮＯｘ、ＳＯｘ等の水溶性不純物質を除去できるほか、ナフタレン等の相転移性物質や、スス、タール等の固液不純物質をもある程度除去できる。このため、油性溶媒接触工程においては、残った相転移性物質、スス、タール等を除去すればよい。したがって、油性溶媒の損耗や汚濁速度を遅らせることができ、油性溶媒の入れ替え頻度を少なくできる。通常、油性溶媒は、水等の水性溶媒より高価であるから、油性溶媒の入れ替え頻度を少なくすることで、ランニングコストを低減できる。
【００１０】
前記ガス状不純物質吸着工程後の合成ガスを、ガス資化性微生物を含む液状培地に供給することにしてもよい。液状培地中でガス資化性微生物の発酵反応によって、合成ガス中のＣＯ、Ｈ２等からエタノール（Ｃ２Ｈ５ＯＨ）等の有価物を生成できる。前処理工程及びガス状不純物質吸着工程において合成ガス中の不純物質を除去しておくことによって、前記ガス資化性微生物の活動に悪影響が及ぶのを抑制できる。
【００１１】
本発明装置は、合成ガス中の不純物質を除去する浄化処理装置であって、
ガス状不純物質を吸着可能な吸着剤を含み、前記合成ガスが前記吸着剤と接触されるガス状不純物質吸着部と、
前記ガス状不純物質吸着部の前段に配置される前処理部と、
を備え、前記前処理部が、
前記合成ガスを水性溶媒と接触させる水性溶媒接触部と、
前記合成ガスを油性溶媒と接触させる油性溶媒接触部と、
前記合成ガスを相転移性物質の固相化温度まで冷却する冷却部、及び冷却後の合成ガスが通される相転移性物質捕捉部を有する相転移性物質除去部と、
を含むことを特徴とする。
これによって、水性溶媒接触工程と、油性溶媒接触工程と、相転移性物質除去工程の何れをも実行でき、合成ガス中の不純物質を確実に除去することができる。
【発明の効果】
【００１２】
本発明によれば、合成ガス中のＢＴＥＸ等のガス状不純物質を吸着処理するに際し、その吸着能力を阻害し得る不純物質を除去しておくことによって、吸着能力を長期間維持することができる。
【図面の簡単な説明】
【００１３】
【図１】図１は、本発明の一実施形態に係る合成ガス処理システムの概略を示す構成図である。
【発明を実施するための形態】
【００１４】
以下、本発明の一実施形態を図面にしたがって説明する。
図１に示すように、合成ガス処理システム１は、廃棄物由来合成ガス生成部２と、合成ガス浄化処理装置３と、合成ガス利用部６を備えている。合成ガス生成部２において合成ガスが生成される。本発明形態における合成ガス生成部２は、廃棄物処理施設である。廃棄物としては、都市ゴミ、タイヤ、バイオマス、木質チップ、プラスチックごみ等が挙げられる。廃棄物は一般ごみであってもよい。廃棄物処理施設の溶融炉において、廃棄物が高濃度の酸素ガスによって燃焼されて低分子レベルまで分解される。最終的に、合成ガスが生成される。生成時ないしは合成ガス生成部２からの供出時における合成ガスの温度は、常温より高温であり、例えば３０℃〜数百℃程度である。
【００１５】
合成ガスは、主要成分としてＣＯ、Ｈ２、ＣＯ２を含む。さらに、合成ガスは、不純物質として、ＢＴＥＸ、ＨＣＮ、ＮＯｘ、ＳＯｘ、アセチレン等のガス状不純物質のほか、スス、タール等の固形又は液状の不純物質や、相転移性の不純物質を含む。相転移性不純物質とは、合成ガス生成部２からの供出時は大部分が気相であるが、合成ガス利用部６までの輸送過程で相転移して一部又は全部が固相となり得る不純物質（水を除く）を言う。例えば相転移性不純物質として、ナフタレン、１−ナフトール、２−ナフトール等の昇華性物質が挙げられる。
また、合成ガスは、ほぼ飽和状態の水分（Ｈ２Ｏ）を含む。
【００１６】
廃棄物由来合成ガス生成部２と合成ガス利用部６との間に合成ガス浄化処理装置３が設けられている。合成ガス浄化処理装置３は、前処理部４と、ガス状不純物質吸着部５０を備えている。ガス状不純物質吸着部５０の前段に前処理部４が配置されている。
【００１７】
前処理部４は、溶媒接触部１０と、相転移性物質除去部２０と、水分除去部３０と、固液捕捉部４０を含む。溶媒接触部１０は、水スクラバ１１（水性溶媒接触部）と、オイルスクラバ１２（油性溶媒接触部）を有している。相転移性物質除去部２０は、チラー２１（冷却部）と、相転移性物質捕捉部２２を有している。廃棄物由来合成ガス生成部２と合成ガス利用部６とを結ぶ合成ガスの供給ラインに沿って、廃棄物由来合成ガス生成部２の側から、水スクラバ１１、オイルスクラバ１２、チラー２１、相転移性物質捕捉部２２、水分除去部３０、固液捕捉部４０、ガス状不純物質吸着部５０の順に連なっている。
【００１８】
水スクラバ１１は、上部の散布ノズル１１ｂと、底部の溶媒貯留部１１ｄと、溶媒路１１ｃを含む。溶媒貯留部１１ｄには、水性溶媒１１ａとして水が溜められている。溶媒路１１ｃが、溶媒貯留部１１ｄから散布ノズル１１ｂへ延びている。更に、水スクラバ１１の下部に合成ガスの導入ポート１１ｅが設けられている。水スクラバ１１の上部に合成ガスの導出ポート１１ｆが設けられている。
【００１９】
オイルスクラバ１２は、上部の散布ノズル１２ｂと、底部の溶媒貯留部１２ｄと、溶媒路１２ｃとを含む。溶媒路１２ｃが、溶媒貯留部１２ｄから散布ノズル１２ｂへ延びている。溶媒貯留部１２ｄに油性溶媒１２ａが溜められている。油性溶媒１２ａの成分としては、例えばパラフィン系溶剤が挙げられる。有機塩素系化合物（ＰＣＢ等）に対する溶解性、揮発時の有機塩素系化合物に対する随伴性、低粘度性、コスト等の観点から、ノルマルペンタン、ノルマルヘキサン等のノルマルパラフィン系有機溶媒を用いてもよい。
更に、オイルスクラバ１２の下部に合成ガスの導入ポート１２ｅが設けられている。オイルスクラバ１２の上部に合成ガスの導出ポート１２ｆが設けられている。  
また、ここでの捕集効率を向上させるため、もしくはオイルの使用寿命を延ばすために循環流路にフィルタや冷却機能を設けてもよい。
【００２０】
チラー２１は、冷却管２３を有している。好ましくは、チラー２１は、複数の冷却管２３を含む多管式の熱交換器にて構成されている。各冷却管２３は、洗浄容易性等の観点からは、直管にて構成されていることが好ましい。かつ、複数の冷却管２３が互いに平行に並べられている。チラー２１の底部からドレイン路２５が延びている。
【００２１】
冷却管２３内が合成ガスの流路となり、チラー２１内における冷却管２３間の空間が冷媒２１ａの冷媒路２４となっている。冷媒２１ａとしては、たとえばエチレングリコールが用いられているが、これに限られるものではない。
なお、冷却管２３内が冷媒２１ａの流路となり、冷却管２３間の空間が合成ガスの流路となっていてもよい。
【００２２】
チラー２１における冷却目標温度は、ナフタレン等の相転移性物質の相転移（例えばナフタレンの昇華固化）が十分に起き得る程度に設定されている。好ましくは、チラー２１の冷却目標温度は、常温付近である。具体的には、１０℃〜３０℃程度であり、より好ましくは２０℃程度である。
【００２３】
相転移性物質捕捉部２２は、相転移性物質捕捉フィルタ２２ｆを有している。フィルタ２２ｆの材質は、金属でもよく、樹脂でもよく、繊維でもよく、セラミックでもよく、これらを組み合わせたものであってもよい。フィルタ２２ｆが、多層メッシュにて構成されていてもよい。
【００２４】
水分除去部３０は、例えば熱交換器（チラー）にて構成されている。以下、水分除去部３０を適宜「チラー３０」と称す。好ましくは、チラー３０は、複数の冷却管３３を含む多管式の熱交換器にて構成されている。各冷却管３３は、洗浄容易性等の観点からは、直管であることが好ましい。かつ、複数の冷却管３３が互いに平行に並べられている。チラー３０の底部からドレイン路３５が延び出ている。
【００２５】
冷却管３３内が合成ガスの流路となり、チラー３０内における冷却管３３間の空間が冷媒３０ａの冷媒路３４となっている。冷媒３０ａとしては、たとえばエチレングリコールが用いられているが、これに限られるものではない。
なお、冷却管３３内が冷媒３０ａの流路となり、冷却管３３間の空間が合成ガスの流路となっていてもよい。
【００２６】
チラー３０の冷却目標温度は、合成ガス中の水分を十分に凝縮（液化）でき、かつ氷結しない範囲で設定されている。好ましくは、チラー３０の冷却目標温度は、０℃以上常温以下であり、具体的には０℃〜１０℃程度であり、より好ましくは２℃程度である。
【００２７】
２つのチラー２１，３０を対比すると、チラー２１のほうがチラー３０よりも冷却目標温度が高い。また、チラー２１の冷却管２３のほうがチラー３０の冷却管３３よりも大径でコンダクタンスが大きい。
【００２８】
固液捕捉部４０は、固液捕捉フィルタ４２を有している。固液捕捉フィルタ４２の材質は、金属でもよく、樹脂でもよく、繊維でもよく、セラミックでもよく、これらを組み合わせたものであってもよい。固液捕捉フィルタ４２が、多層メッシュにて構成されていてもよい。
【００２９】
相転移性物質捕捉部２２と固液捕捉部４０を対比すると、相転移性物質捕捉部２２のフィルタ２２ｆのほうが、固液捕捉部４０のフィルタ４２よりも目が粗く粒子を透過させやすい。相転移性物質捕捉フィルタ２２ｆと固液捕捉フィルタ４２が共に多層メッシュで構成されている場合、相転移性物質捕捉フィルタ２２ｆのメッシュの層数は、固液捕捉フィルタ４２のメッシュの層数の好ましくは３分の１〜２０分の１であり、より好ましくは１０分の１以下である。
【００３０】
ガス状不純物質吸着部５０は、圧力スイング吸着（ＰＳＡ；pressure swing adsorption）装置にて構成されている。以下、ガス状不純物質吸着部５０を適宜「ＰＳＡ装置５０」と称す。ガス状不純物質吸着部５０は、複数（図では２つだけ図示）の吸着塔５１を含む。各吸着塔５１に吸着剤５２が収容されている。吸着剤５２としては、ゼオライト、シリカゲル等が挙げられる。
ガス状不純物質吸着部５０の吸着剤が、活性炭によって構成されていてもよい。
なお、ガス状不純物質吸着部が、温度スイング吸着（ＴＳＡ：temperature swing adsorption）装置にて構成されていてもよい。
【００３１】
詳細な図示は省略するが、合成ガス利用部６は、反応槽を含む。反応槽内の液状の培地中で嫌気性のガス資化性微生物が培養されている。或いは、後述するように、金属触媒が充填されていてもよい。ガス資化性微生物としては、例えば上掲特許文献２や、国際公開第２０１１／０８７３８０号、米国特許ＵＳ２０１３／００６５２８２等に開示された嫌気性細菌を用いることができる。
【００３２】
合成ガス処理システム１は、次にように動作する。
＜合成ガス生成工程＞
廃棄物由来合成ガス生成部２において、廃棄物が燃焼されることによって、合成ガスが生成される。生成時の合成ガスの温度は、常温より高温である。
【００３３】
＜前処理工程＞
合成ガスは、廃棄物由来合成ガス生成部２から前処理部４へ送られ、前処理工程に供される。
＜溶媒接触工程＞
前処理部４において、合成ガスは、先ず溶媒接触部１０へ送られ、水スクラバ１１に導入される。
＜水性溶媒接触工程＞
水スクラバ１１においては、水１１ａ（水性溶媒）が、散布ノズル１１ｂから水スクラバ１１内に散布される。かつ、合成ガスが、導入ポート１１ｅから水スクラバ１１内に導入されて上昇する。水スクラバ１１内において、散布水１１ａと合成ガスとが対向流を形成しながら互いに接触される。この接触によって、合成ガス中のＮＯｘ、ＳＯｘ、ＨＣＮ、アセチレン等の水溶性不純物質を散布水１１ａに溶解させて十分に除去（濃度低減）できるほか、合成ガス中のナフタレン等の相転移性物質や、スス、タール等の固液不純物質をもある程度除去（濃度低減）できる。
合成ガスは、散布水１１ａとの接触によって温度が低下される。
【００３４】
＜油性溶媒接触工程＞
続いて、合成ガスは、オイルスクラバ１２へ送られる。
オイルスクラバ１２においては、油性溶媒１２ａが、散布ノズル１２ｂからオイルスクラバ１２内に散布される。かつ、合成ガスが、導入ポート１２ｅからオイルスクラバ１２内に導入されて上昇する。オイルスクラバ１２内において、散布された油性溶媒１２ａと合成ガスとが対向流を形成しながら互いに接触される。この接触によって、合成ガス中のナフタレン等の相転移性物質や、タール、ＢＴＥＸ等を十分に除去（濃度低減）できるほか、スス、アセチレン等をもある程度除去（濃度低減）できる。
合成ガスは、油性溶媒１２ａとの接触によって温度が更に低下される。
前述したように、溶媒接触部１０においてナフタレン等の相転移性物質や、スス、タール等の固液不純物質をもある程度除去できるから、油性溶媒接触工程においては、残った相転移性物質、スス、タール等を除去すればよい。したがって、油性溶媒１２ａの損耗や汚濁速度を遅らせることができ、油性溶媒１２ａの入れ替え頻度を少なくできる。通常、油性溶媒１２ａは、水等の水性溶媒１１ａより高価であるから、油性溶媒１２ａの入れ替え頻度を少なくすることで、ランニングコストを低減できる。
【００３５】
＜相転移性物質除去工程＞
続いて、合成ガスは、相転移性物質除去部２０へ送られる。
＜冷却工程（相転移性物質固相化工程）＞
相転移性物質除去部２０において、合成ガスは、先ずチラー２１に導入される。チラー２１において、合成ガスが冷却管２３に通されるとともに、冷媒２１ａが冷媒路２４に通されることで熱交換が行われる。合成ガスの流れ（管２３内の下向き矢印）と冷媒２１ａの流れは互いに対向流を構成している。なお、合成ガスの流れと冷媒２１ａの流れは互いに並行流を構成していてもよい。
熱交換によって、合成ガスが、例えば常温程度まで冷却される。冷却によって、合成ガス中のナフタレン等の相転移性物質が、ガスから固体に昇華（固相化）される。合成ガスは、溶媒接触部１０において温度をある程度低下されたうえで相転移性物質除去部２０に導入されるから、チラー２１の負荷を低減できる
冷却管２３を比較的大径とし、冷却管２３のコンダクタンスを比較的大きくすることによって、冷却管２３がナフタレン等の相転移性物質の固化物によって詰まるのを抑制できる。
冷却によって合成ガス中の水分の一部が凝縮する。凝縮水は、ドレイン路２５から排出される。
【００３６】
＜相転移性物質捕捉工程＞
冷却後の合成ガスが、相転移性物質捕捉部２２へ送られ、フィルタ２２ｆに通される。これによって、合成ガス中のナフタレン等の相転移性物質の固化物をフィルタ２２ｆにて捕捉できる。この結果、合成ガスからナフタレン等の相転移性物質を除去できる。更にはフィルタ２２ｆによって、スス、タール等の固液不純物質をもある程度除去できる。
フィルタ２２ｆの目を比較的粗くすることで、フィルタ２２ｆが、捕捉した不純物質や凝縮水によって詰まるのを抑制でき、フィルタ２２ｆの交換頻度を少なくすることができる。
【００３７】
＜水分凝縮工程＞
続いて、合成ガスはチラー３０へ送られる。チラー３０において、合成ガスが冷却管３３に通されるとともに、冷媒３０ａが冷媒路３４に通されることで熱交換が行われる。合成ガスの流れ（管３３内の下向き矢印）と冷媒３０ａの流れは互いに対向流を構成している。なお、合成ガスの流れと冷媒３０ａの流れは互いに並行流を構成していてもよい。
熱交換によって、合成ガスがチラー２１よりも低温化され、好ましくは零度近くまで冷却される。冷却管３３を小径にすることで、合成ガスの冷却効率を高めることができる。これによって、合成ガス中の水分を十分に凝縮させることができる。好ましくは、合成ガスの水分含有量をほとんど零にできる。
予め、溶媒接触部１０及び相転移性物質除去部２０でナフタレン等の固化物やスス、タール等の固液不純物質を除去したうえで、水分凝縮工程を行うことによって、冷却管３３の詰まりを抑制することができる。
チラー３０で凝縮した水は、ドレイン路３５から排出される。
【００３８】
＜固液捕捉工程＞
続いて、合成ガスは、固液捕捉部４０へ送られ、固液捕捉フィルタ４２に通される。固液捕捉フィルタ４２によって合成ガス中のスス、タール等の固液不純物質を捕捉することで更に除去できる。
チラー３０で予め合成ガス中の水分を除去したうえで、固液捕捉工程を行うことによって、固液捕捉フィルタ４２の詰まりを抑制することができる。
さらには、前記溶媒接触部１０及び相転移性物質除去部２０において、ナフタレン等の相転移性物質を予め除去したうえで、固液捕捉工程を行うことによって、固液捕捉フィルタ４２の詰まりを一層確実に抑制することができる。
なお、相転移性物質除去部２０を通過したナフタレン等の相転移性物質の固化物は、固液捕捉部４０によって捕捉することができる。
【００３９】
＜ガス状不純物質吸着工程＞
続いて、合成ガスは、ＰＳＡ装置５０へ送られる。ＰＳＡ装置５０の一部の吸着塔５１に合成ガスが加圧供給されることで、合成ガス中のＢＴＥＸをはじめとするガス状不純物質が、前記一部の吸着塔５１の吸着剤５２に吸着される。吸着されるガス状不純物質としては、ＢＴＥＸのほか、ＨＣＮ、アセチレン、ＮＯｘ、ＳＯｘ等が挙げられる。
このとき、ＰＳＡ装置５０の他の吸着塔５１では、脱着ガスの流通下で減圧されることで、ガス状不純物質が脱着されて排出される。これによって、吸着剤５２の吸着容量が回復される。
複数の吸着塔５１について交互に加圧吸着操作と減圧脱着操作が反復される。これによって、合成ガス中のＢＴＥＸ等のガス状不純物質を十分に除去できる。
合成ガス浄化処理装置３によれば、前処理部４において、合成ガス中のナフタレン等の相転移性物質や、スス、タール等の固液不純物質を十分に除去したうえで、合成ガスをＰＳＡ装置５０へ導入することによって、吸着剤５２の表面に相転移性物質の固化物や、スス、タール等の固液不純物質が付着するのを抑制又は防止できる。ひいては、吸着剤５２の活性点が、固化相転移性物質や固液不純物質によって覆われるのを抑制又は防止できる。これによって、吸着剤５２の吸着能力を長期間維持することができ、ＰＳＡ装置５０において合成ガス中のＢＴＥＸ等のガス状不純物質を確実に除去できる。
この結果、合成ガスを十分に浄化処理できる。
なお、ガス状不純物質吸着工程をＴＳＡ（温度スイング）法によって行ってもよい。ＴＳＡ法は、吸脱着を温度変化により行う方式であり、その詳細は省略するが、前記ＰＳＡ法と同様の効果が期待できる。
【００４０】
＜合成ガス利用工程＞
その後、合成ガスは、合成ガス利用部６に導入される。合成ガス利用部６においては、例えば、培地中のガス資化性微生物が、合成ガスのＣＯ及びＨ２等を摂取して、エタノール等の有価物を発酵生成する。
予め合成ガス中の、ナフタレン等の相転移性物質、スス、タール等の固液不純物質、ＢＴＥＸ、ＮＯｘ、ＳＯｘ、ＨＣＮ、アセチレン等のガス状不純物質を除去しておくことで、ガス資化性微生物を安定的に培養できる。
上記培養液の一部は蒸留塔（図示せず）へ送られて蒸留される。これによって、エタノールを抽出することができる。
【００４１】
本発明は、上記実施形態に限定されるものではなく、その趣旨を逸脱しない範囲において種々の改変をなすことができる。
例えば、前処理の各工程の順序は適宜入れ替えてもよい。油性溶媒接触工程の後、水性溶媒接触工程を行ってもよい。相転移性物質除去工程の後、溶媒接触工程を行なってもよい。相転移性物質除去工程を水性溶媒接触工程と油性溶媒接触工程の間に行ってもよい。
前処理部４において、油性溶媒接触部１２を水性溶媒接触部１１の前段に配置してもよい。相転移性物質除去部２０を溶媒接触部１０の前段に配置してもよい。相転移性物質除去部２０を水性溶媒接触部１１と油性溶媒接触部１２との間に配置してもよい。
合成ガスの組成によっては、前処理工程において、水性溶媒接触工程を省略してもよい。若しくは油性溶媒接触工程を省略してもよい。又は相転移性物質除去工程を省略してもよい。水性溶媒接触工程と油性溶媒接触工程と相転移性物質除去工程のうち少なくとも１つを実行すればよい。
前処理部４において、水スクラバ１１を省略してもよい。若しくはオイルスクラバ１２を省略してもよい。又は相転移性物質除去部２０を省略してもよい。水スクラバ１１とオイルスクラバ１２と相転移性物質除去部２０のうち少なくとも１つが設けられていればよい。
溶媒接触部１０において、１つのスクラバ槽に水性溶媒１１ａの散布ノズル１１ｂと、油性溶媒１２ａの散布ノズル１２ｂとを設けることで、水性溶媒接触工程と油性溶媒接触工程とが１つのスクラバ槽内で併行して実行されるようにしてもよい。
溶媒接触部１０において、１つのスクラバ槽に水性溶媒１１ａと油性溶媒１２ａの混合物を散布することで、水性溶媒接触工程と油性溶媒接触工程とが１つのスクラバ槽内で同時に実行されるようにしてもよい。
水性溶媒１１ａは、水に限られず、アルコール等であってもよい。
相転移性不純物質は、気相から液相を経ずに固相になるナフタレン、１−ナフトール、２−ナフトール等の昇華性物質に限られず、気相から液相を経て固相になるものであってもよい。
合成ガス利用工程において、合成ガスを金属触媒と接触させて化学反応によりエタノール等の有価物を合成してもよい。金属触媒としては、代表的な物質としてモリブデン系が挙げられる。合成ガスをこの化学反応に用いる場合、上記ガス資化性微生物による発酵反応とは除去対象物質が若干異なるものの、必要な工程としては同様である。更に追加して脱硫を強化するための工程が必要である。
生成目的の有価物は、エタノールに限られず、酢酸やメタノール等であってもよい。
合成ガス利用部６が、合成ガスを金属触媒に接触させることでエタノール等の有価物を生成するものであってもよい。
合成ガス生成部は、廃棄物処理施設に限られず、製鉄所や石炭発電所等であってもよい。合成ガスは、製鉄所の副生ガス（転炉、高炉ガス等）であってもよい。
【産業上の利用可能性】
【００４２】
本発明は、例えば産業廃棄物の焼却処理で生じる合成ガスからエタノールを合成するエタノール生成システムに適用できる。
【符号の説明】
【００４３】
１          合成ガス処理システム
２          廃棄物由来合成ガス生成部
３          合成ガス浄化処理装置
４          前処理部
１０        溶媒接触部
１１        水スクラバ（水性溶媒接触部）
１１ａ      水（水性溶媒）
１１ｂ      散布ノズル
１１ｃ      溶媒路
１１ｄ      溶媒貯留部
１１ｅ      導入ポート
１１ｆ      導出ポート
１２        オイルスクラバ（油性溶媒接触部）
１２ａ      油性溶媒
１２ｂ      散布ノズル
１２ｃ      溶媒路
１２ｄ      溶媒貯留部
１２ｅ      導入ポート
１２ｆ      導出ポート
２０        相転移性物質除去部
２１ａ      冷媒
２１        チラー（冷却部）
２２        相転移性物質捕捉部
２２ｆ      相転移性物質捕捉フィルタ
２３        冷却管
２４        冷媒路
２５        ドレイン路
３０        チラー（水分除去部）
３０ａ      冷媒
３３        冷却管
３４        冷媒路
３５        ドレイン路
４０        固液捕捉部
４２        固液捕捉フィルタ
５０        ガス状不純物質吸着部
５１        吸着塔
５２        吸着剤
６          合成ガス利用部
【図１】
2018058042.tif 000003